(57)【要約】【課題】  視聴状況に応じて変化するユーザの意図を適宜反映させ、利便性を向上させる。【解決手段】  コンテンツの再生を行う放送処理部２００と、着信処理を行う通話処理部１００、留守番電話手段３０１、ＬＣＤ４０２及びＳＰ４０３と、再生中のコンテンツの視聴状況を把握する履歴回数格納メモリ６０２及び履歴回数判断手段６０１と、視聴状況に応じた着信処理形態で前記コンテンツの再生及び前記着信処理を実行させるコントローラ４０１及び着信可否判断手段５０１とを備える。【選択図】  図１
2006074101.tif 000002
【特許請求の範囲】
【請求項１】
コンテンツの再生を行うコンテンツ再生手段と、
着信処理を行う着信処理手段と、
再生中のコンテンツの視聴状況を把握する視聴状況把握手段と、
視聴状況に応じた着信処理形態で前記コンテンツの再生及び前記着信処理を実行させる制御手段と、
を備える通信端末。
【請求項２】
請求項１記載の通信端末であって、
前記視聴状況把握手段は、コンテンツの利用履歴を格納する格納手段と、前記格納手段を参照して取得した利用履歴に基づいて前記視聴状況を把握する手段と、を有する通信端末。
【請求項３】
請求項１記載の通信端末であって、
前記視聴状況把握手段は、コンテンツの視聴時間を格納する格納手段と、前記格納手段を参照して取得した視聴時間に基づいて前記視聴状況を把握する手段と、を有する通信端末。
【請求項４】
請求項１記載の通信端末であって、
前記視聴状況把握手段は、視聴状況を検知する視聴状況検知手段を有する通信端末。
【請求項５】
請求項４記載の通信端末であって、
前記視聴状況把握手段は、コンテンツを視聴するユーザの目を撮影する撮影手段と、撮影画像から求めたコンテンツの凝視時間に基づいて前記視聴状況を把握する手段と、を有する通信端末。
【請求項６】
請求項１記載の通信端末であって、
前記制御手段は、コンテンツの再生の継続及び着信に対する自動応答により前記着信処理を行う通信端末。
【請求項７】
請求項６記載の通信端末であって、
前記制御手段は、コンテンツの再生の継続及び留守番電話モードへの移行により前記着信処理を行う通信端末。
【請求項８】
請求項１記載の通信端末であって、
前記制御手段は、コンテンツの再生の継続及びコンテンツ再生中の着信報知により前記着信処理を行う通信端末。
【請求項９】
請求項１記載の通信端末であって、
前記制御手段は、コンテンツの再生の継続及びコンテンツ再生終了後の着信報知により前記着信処理を行う通信端末。
【請求項１０】
請求項１記載の通信端末であって、
前記制御手段は、コンテンツの再生の停止及びコンテンツ再生停止後の着信報知により前記着信処理を行う通信端末。
【請求項１１】
請求項６ないし１０のいずれか一項記載の通信端末であって、
前記制御手段に対して任意の着信処理形態を設定する設定手段を備える通信端末。
【発明の詳細な説明】
【技術分野】
【０００１】
本発明は、コンテンツの再生を行う機能を有する通信端末に関する。
【背景技術】
【０００２】
近年、携帯電話端末は多機能化が進み、通話機能、電子メールの送受信機能のほかに、テレビ受信機能、テレビ録画機能、アラーム通知機能などを搭載するようになってきている。このような携帯電話端末においては、テレビ視聴中にも通話することができ、またテレビ視聴中に着信があった時点で録画を行なうこともできるので、通話中のテレビ番組の見逃しを防ぐことができる。
【０００３】
また、記録媒体に記録されたオーディオデータ等のコンテンツの再生と通話を選択的に又は同時に行なうことにより利便性の向上を図った移動通信端末装置が知られている。この移動通信端末装置は、コンテンツの再生中に着信があった場合に、着信時の判断手段を用いて、音声着信を許可するか、あるいは音声着信を拒否して留守番電話応答を動作させるかを選択することが可能である（例えば、特許文献１参照）。
【０００４】
【特許文献１】特願２００１−１３７７７号公報
【発明の開示】
【発明が解決しようとする課題】
【０００５】
しかしながら、上記従来の携帯電話端末にあっては、テレビ放送視聴中に着信があった場合の応答可否の判断基準が明確に定義されていない。また、特許文献１に記載された移動通信端末装置にあっては、オーディオデータの再生中に着信があった場合に、事前に設定されたモードに従って、オーディオデータの再生を停止して着信に応答するか、あるいはオーディオデータの再生を優先して留守番電話モードにするかの二者選択しかできなかった。
【０００６】
したがって、オーディオデータの再生中に着信があった場合の応答可否は、操作ボタンにより事前に設定しなければならず、設定忘れや操作ミスなどで期待する動作が得られない場合も多かった。
【０００７】
本発明は、上記従来の事情に鑑みてなされたものであって、視聴状況に応じて変化するユーザの意図を適宜反映させることができ、利便性を向上させることができる通信端末を提供することを目的としている。
【課題を解決するための手段】
【０００８】
本発明の通信端末は、コンテンツの再生を行うコンテンツ再生手段と、着信処理を行う着信処理手段と、再生中のコンテンツの視聴状況を把握する視聴状況把握手段と、視聴状況に応じた着信処理形態で前記コンテンツの再生及び前記着信処理を実行させる制御手段と、を備える。上記構成によれば、視聴状況に応じた着信処理形態で前記コンテンツの再生及び前記着信処理を実行させる制御手段を備えることにより、コンテンツを視聴している時に着信した場合であっても、コンテンツの視聴状況に応じて着信に対する処理を動的に変化させることができる為、コンテンツの視聴を優先したい又は通話を優先したい等といった、視聴状況に応じて変化するユーザの意図を適宜反映させることができ、利便性を向上させることができる。
【０００９】
また、本発明の通信端末は、前記視聴状況把握手段が、コンテンツの利用履歴を格納する格納手段と、前記格納手段を参照して取得した利用履歴に基づいて前記視聴状況を把握する手段と、を有するものである。上記構成によれば、コンテンツの利用履歴からコンテンツに対する関心の高さ等を把握して、コンテンツの視聴状況を把握できる。
【００１０】
また、本発明の通信端末は、前記視聴状況把握手段が、コンテンツの視聴時間を格納する格納手段と、前記格納手段を参照して取得した視聴時間に基づいて前記視聴状況を把握する手段と、を有するものである。上記構成によれば、コンテンツの視聴時間からコンテンツに対する関心の高さ等を把握して、コンテンツの視聴状況を把握できる。
【００１１】
また、本発明の通信端末は、視聴状況把握手段が、視聴状況を検知する視聴状況検知手段を有するものである。上記構成によれば、視聴状況検知手段の検知結果からコンテンツの視聴状況を把握できる。
【００１２】
また、本発明の通信端末は、前記視聴状況把握手段が、コンテンツを視聴するユーザの目を撮影する撮影手段と、撮影画像から求めたコンテンツの凝視時間に基づいて前記視聴状況を把握する手段と、を有するものである。上記構成によれば、コンテンツの凝視時間からコンテンツに対する集中度の高さ等を把握して、コンテンツの視聴状況を把握できる。
【００１３】
また、本発明の通信端末は、制御手段が、コンテンツの再生の継続及び着信に対する自動応答により前記着信処理を行うものである。上記構成によれば、ユーザはコンテンツの視聴を継続しながら、発信元に応答することができる。
【００１４】
また、本発明の通信端末は、前記制御手段が、コンテンツの再生の継続及び留守番電話モードへの移行により前記着信処理を行うものである。上記構成によれば、コンテンツの視聴を優先したいというユーザの意図を反映させることができ、利便性を向上させることができる。
【００１５】
また、本発明の通信端末は、前記制御手段が、コンテンツの再生の継続及びコンテンツ再生中の着信報知により前記着信処理を行うものである。上記構成によれば、ユーザは、コンテンツの視聴を継続しながら、着信を知ることができる。
【００１６】
また、本発明の通信端末は、前記制御手段が、コンテンツの再生の継続及びコンテンツ再生終了後の着信報知により前記着信処理を行うものである。上記構成によれば、ユーザは、着信時にはコンテンツの視聴を継続し、コンテンツの視聴を終了した後に着信を知ることができる。
【００１７】
また、本発明の通信端末は、制御手段が、コンテンツの再生の停止及びコンテンツ再生停止後の着信報知により前記着信処理を行うものである。上記構成によれば、ユーザは、着信時に、着信に対する応答を行うことが可能となる。
【００１８】
さらに、本発明の通信端末は、前記制御手段に対して任意の着信処理形態を設定する設定手段を備える。上記構成によれば、ユーザの意思に応じて、着信処理形態を設定できる。
【発明の効果】
【００１９】
本発明によれば、視聴状況に応じた着信処理形態で前記コンテンツの再生及び前記着信処理を実行させる制御手段を備えることにより、コンテンツを視聴している時に着信した場合であっても、コンテンツの視聴状況に応じて着信に対する処理を動的に変化させることができる為、コンテンツの視聴を優先したい又は通話を優先したい等といった、視聴状況に応じて変化するユーザの意図を適宜反映させることができ、利便性を向上させることができる。
【発明を実施するための最良の形態】
【００２０】
（第１の実施形態）
図１は、本発明の第１の実施形態を説明するための携帯電話端末の概略構成を示す図である。同図に示すように、本実施形態の携帯電話端末は、無線制御部１０１と、復号化手段１０２と、着信音源１０３と、放送受信部２０１と、復号化手段２０２と、留守番電話手段３０１と、コントローラ４０１と、液晶表示装置（ＬＣＤ）４０２と、スピーカ４０３と、着信可否判断手段５０１と、履歴回数判断手段６０１と、履歴回数格納メモリ６０２とを備える。
【００２１】
無線制御部１０１は、通話や電子メールの送受信を制御する。復号化手段１０２は、相手端末より受信した音声データ(相手の声)を復号する。着信音源１０３は、着信時送出する音源である。無線制御部１０１、復号化手段１０２及び着信音源１０３は、通話処理部１００を構成する。放送受信部２０１は、テレビ放送又はラジオ放送を受信する。復号化手段２０２は、テレビ映像等を復号化し、継続的に「映像」「音」 を生成する。放送受信部２０１及び復号化手段２０２は、放送処理部２００を構成し、映像や音を出力することによりコンテンツの再生を行う。留守番電話手段３０１は、留守番電話モードにおいて、通話処理部１００と連動して相手音声を記録する。
【００２２】
履歴回数格納メモリ６０２は、テレビ映像の視聴チャネルアクセス回数を記録する。履歴回数判断手段６０１は、テレビ放送又はラジオ放送に対し、所定チャネルに対してのアクセス回数が一定値以上の場合、コンテンツ再生を継続する判断を行う。着信可否判断手段５０１は、着信時に、履歴回数判断処理６０１からの情報に基づき、着信信号に応答するか、留守番電話モードにするかを決定する。コントローラ４０１は、着信時に、着信可否判断手段５０１と連動して、着信信号をスピーカ（ＳＰ）４０３に接続するか、留守番電話手段３０１に接続するかを制御する。液晶表示装置（ＬＣＤ）４０２は、テレビ映像を表示する。スピーカ４０３は、テレビ放送又はラジオ放送の音響を再生する出力装置である。
【００２３】
履歴回数格納メモリ６０２及び履歴回数判断手段６０１は、再生中のコンテンツの視聴状況を把握する。コントローラ４０１及び着信可否判断手段５０１は、視聴状況に応じた着信処理形態でコンテンツの再生及び着信処理を実行させる。通話処理部１００、留守番電話手段３０１、ＬＣＤ４０２及びＳＰ４０３は、着信処理を行う。
【００２４】
図２は、第１の実施形態の携帯電話端末における着信時の処理を説明するためのフローチャートである。図２に示すように、本実施形態の携帯電話端末において、コントローラ４０１が着信を検出すると（ステップＳ１）、放送受信中か否かの状態チェックを行なう（ステップＳ２）。
【００２５】
そして、放送受信中の場合は、履歴回数格納メモリ６０２から、現在視聴中の放送番組の視聴履歴を読み出し（ステップＳ３）、その視聴回数が例えばＮ回以上か否かを判断する（ステップＳ４）。そして、視聴回数がＮ回以上の場合（Ｙｅｓ）は、この放送番組に対するユーザの入れ込み度が高いと判断して放送番組の視聴を継続し、着信信号を留守番電話手段３０１に接続して記録する（ステップＳ５）。
【００２６】
一方、ステップＳ２の状態チェックで放送受信中でない場合、およびステップＳ４の視聴履歴判断で視聴回数がＮ回より少ない場合（Ｎｏ）は、着信音を鳴動させることにより着信を報知して応答を促す（ステップＳ６）。この場合、放送画面から着信画面に切り替えてもよく、放送受信を継続しながら着信音を鳴動させてもよい。また、放送の音声を低下させてもよい。
【００２７】
なお、ステップＳ５において、着信信号を留守番電話手段３０１に接続して記録する場合に、着信音を鳴動させない設定が可能であるが、着信時に画面の一部に着信があった旨のアイコンを表示することにより着信を報知してもよい。また、視聴中の放送番組が終了した後に着信アイコンを表示することにより着信を報知してもよい。
【００２８】
このように第１の実施形態の携帯電話端末によれば、放送番組を視聴した回数（コンテンツにアクセスした回数）をカウントすることで放送番組（コンテンツ）の視聴状況を把握し、その放送番組（コンテンツ）へのユーザの入れ込み度を判断している。そして、ユーザが見たい番組を視聴中には番組再生を優先させ、留守番電話モードに移行して着信を録音するなど、視聴状況に応じた着信処理形態でコンテンツの再生及び着信処理を実行する。これにより、コンテンツを視聴している時に着信した場合であっても、コンテンツの視聴状況に応じて着信に対する処理を動的に変化させることができる為、コンテンツの視聴を優先したい又は通話を優先したい等といった、視聴状況に応じて変化するユーザの意図を適宜反映させることができ、利便性を向上させることができる。また、手動によるわずらわしい事前設定を不要とし、また事前設定の解除忘れなどの操作ミスをなくすことができる。
【００２９】
（第２の実施形態）
図３は、本発明の第２の実施形態を説明するための携帯電話端末の概略構成を示す図である。同図において、第１の実施形態と重複する部分には同一の符号を付して説明する。
【００３０】
第２の実施形態の携帯電話端末は、無線制御部１０１と、復号化手段１０２と、着信音源１０３と、放送受信部２０１と、復号化手段２０２と、留守番電話手段３０１と、コントローラ４０１と、液晶表示装置（ＬＣＤ）４０２と、スピーカ４０３と、着信可否判断手段５０１と、視聴時間判断手段６０３と、視聴時間格納メモリ６０４とを備える。
【００３１】
無線制御部１０１は、通話や電子メールの送受信を制御する。復号化手段１０２は、相手端末より受信した音声データ(相手の声)を復号する。着信音源１０３は、着信時送出する音源である。無線制御部１０１、復号化手段１０２及び着信音源１０３は、通話処理部１００を構成する。放送受信部２０１は、テレビ放送又はラジオ放送を受信する。復号化手段２０２は、テレビ映像等を復号化し、継続的に「映像」「音」 を生成する。放送受信部２０１及び復号化手段２０２は、放送処理部２００を構成し、映像や音を出力することによりコンテンツの再生を行う。留守番電話手段３０１は、留守番電話モードにおいて、通話処理部１００と連動して相手音声を記録する。
【００３２】
視聴時間格納メモリ６０４は、テレビ映像の視聴チャネルアクセス時間を記録する。視聴時間判断手段６０３は、テレビ放送又はラジオ放送に対し、所定チャネルに対してのアクセス時間が一定値以上の場合、テレビ映像再生を継続する判断を行う。着信可否判断手段５０１は、着信時に、視聴時間判断手段６０３からの情報に基づき、着信信号に応答するか、留守番電話モードにするかを決定する。コントローラ４０１は、着信時に、着信可否判断手段５０１と連動して、着信信号をスピーカ（ＳＰ）４０３に接続するか、留守番電話に接続するかを制御する。液晶表示装置（ＬＣＤ）４０２は、テレビ映像を表示する。スピーカ４０３は、音響を再生する出力装置である。
【００３３】
視聴時間格納メモリ６０４及び視聴時間判断手段６０３は、再生中のコンテンツの視聴状況を把握する。コントローラ４０１及び着信可否判断手段５０１は、視聴状況に応じた着信処理形態でコンテンツの再生及び着信処理を実行させる。通話処理部１００、留守番電話手段３０１、ＬＣＤ４０２及びＳＰ４０３は、着信処理を行う。
【００３４】
図４は、第２の実施形態の携帯電話端末における着信時の処理を説明するためのフローチャートである。図４に示すように、第２の実施形態の携帯電話端末において、コントローラ４０１が着信を検出すると（ステップＳ１１）、放送受信中か否かの状態チェックを行なう（ステップＳ１２）。
【００３５】
そして、放送受信中の場合は、視聴時間格納メモリ６０４から、現在視聴中の放送番組の視聴時間を読み出し（ステップＳ１３）、その視聴時間が例えばＮ分以上か否かを判断する（ステップＳ１４）。そして、視聴時間がＮ分以上の場合（Ｙｅｓ）は、この放送番組に対するユーザの入れ込み度が高いと判断して放送番組の視聴を継続し、着信信号を留守番電話手段３０１に接続して記録する（ステップＳ１５）。
【００３６】
一方、ステップＳ１２の状態チェックで放送受信中でない場合、およびステップＳ１４の視聴時間判断で視聴時間がＮ分より少ない場合（Ｎｏ）は、着信音を鳴動させることにより着信を報知して応答を促す（ステップＳ１６）。この場合、放送画面から着信画面に切り替えてもよく、放送受信を継続しながら着信音を鳴動させてもよい。また、放送の音声を低下させてもよい。
【００３７】
なお、ステップＳ１５において、着信信号を留守番電話手段３０１に接続して記録する場合に、着信音を鳴動させない設定が可能であるが、着信時に画面の一部に着信があった旨のアイコンを表示することにより着信を報知してもよく、また、視聴中の放送番組が終了した後に着信アイコンを表示することにより着信を報知してもよい。
【００３８】
このように第２の実施形態の携帯電話端末によれば、コンテンツにアクセスした時間をカウントすることでコンテンツの視聴状況を把握し、そのコンテンツへのユーザの入れ込み度を判断している。そして、ユーザが見たい番組を視聴中には番組再生を優先させ、留守番電話モードに移行して着信を録音するなど、視聴状況に応じた着信処理形態でコンテンツの再生及び着信処理を実行する。これにより、コンテンツを視聴している時に着信した場合であっても、コンテンツの視聴状況に応じて着信に対する処理を動的に変化させることができる為、コンテンツの視聴を優先したい又は通話を優先したい等といった、視聴状況に応じて変化するユーザの意図を適宜反映させることができ、利便性を向上させることができる。また、手動によるわずらわしい事前設定を不要とし、また事前設定の解除忘れなどの操作ミスをなくすことができる。
【００３９】
（第３の実施形態）
図５は、本発明の第３の実施形態を説明するための携帯電話端末の概略構成を示す図である。同図において、第２の実施形態と重複する部分には同一の符号を付して説明する。
【００４０】
第３の実施形態の携帯電話端末は、無線制御部１０１と、復号化手段１０２と、着信音源１０３と、放送受信部２０１と、復号化手段２０２と、留守番電話手段３０１と、コントローラ４０１と、液晶表示装置（ＬＣＤ）４０２と、スピーカ４０３と、着信可否判断手段５０１と、凝視時間判断手段６０５と、カメラ６０６とを備える。
【００４１】
無線制御部１０１は、通話や電子メールの送受信を制御する。復号化手段１０２は、相手端末より受信した音声データ(相手の声)を復号する。着信音源１０３は、着信時送出する音源である。無線制御部１０１、復号化手段１０２及び着信音源１０３は、通話処理部１００を構成する。放送受信部２０１は、テレビ放送又はラジオ放送を受信する。復号化手段２０２は、テレビ映像等を復号化し、継続的に「映像」「音」 を生成する。放送受信部２０１及び復号化手段２０２は、放送処理部２００を構成し、映像や音を出力することによりコンテンツの再生を行う。留守番電話手段３０１は、着信応答ができない場合、通話処理部１００と連動して相手音声を記録する。
【００４２】
カメラ６０６は、テレビ放送を視聴しているユーザの顔を撮影する。凝視時間判断手段６０５は、放送受信中や着信時等にカメラ６０６を起動し、眼球の状態（位置、目のパターン等）を認識し、テレビ番組の凝視時間を判断する。着信可否判断手段５０１は、着信時に、凝視時間判断手段６０５からの情報に基づき、着信信号に応答するか、留守番電話モードにするかを決定する。コントローラ４０１は、着信時に、着信可否判断手段５０１と連動して、着信信号をスピーカ（ＳＰ）４０３に接続するか、留守番電話に接続するかを制御する。液晶表示装置（ＬＣＤ）４０２は、テレビ映像を表示する。スピーカ４０３は、テレビ放送又はラジオ放送の音響を再生する出力装置である。
【００４３】
カメラ６０６及び凝視時間判断手段６０５は、再生中のコンテンツの視聴状況を把握する。コントローラ４０１及び着信可否判断手段５０１は、視聴状況に応じた着信処理形態でコンテンツの再生及び着信処理を実行させる。通話処理部１００、留守番電話手段３０１、ＬＣＤ４０２及びＳＰ４０３は、着信処理を行う。
【００４４】
図６は、第３の実施形態の携帯電話端末における着信時の処理を説明するためのフローチャートである。図６に示すように、第３の実施形態の携帯電話端末において、コントローラ４０１が着信を検出すると（ステップＳ２１）、放送受信中か否かの状態チェックを行なう（ステップＳ２２）。
【００４５】
そして、放送受信中の場合は、凝視時間判断手段６０５が、現在視聴中の放送番組の凝視時間を読み出し（ステップＳ２３）、その凝視時間が例えばＮ分以上か否かを判断する（ステップＳ２４）。そして、凝視時間がＮ分以上の場合（Ｙｅｓ）は、この放送番組に対するユーザの入れ込み度が高いと判断して放送番組の視聴を継続し、着信信号を留守番電話手段３０１に接続して記録する（ステップＳ２５）。
【００４６】
一方、ステップＳ２２の状態チェックで放送受信中でない場合、およびステップＳ２４の凝視時間判断で凝視時間がＮ分より少ない場合（Ｎｏ）は、着信音を鳴動させることにより着信を報知して応答を促す（ステップＳ２６）。この場合、放送画面から着信画面に切り替えてもよく、放送受信を継続しながら着信音を鳴動させてもよい。また、放送の音声を低下させてもよい。
【００４７】
なお、ステップＳ２５において、着信信号を留守番電話手段３０１に接続して記録する場合に、着信音を鳴動させない設定が可能であるが、着信時に画面の一部に着信があった旨のアイコンを表示することにより着信を報知してもよく、また、視聴中の放送番組が終了した後に着信アイコンを表示することにより着信を報知してもよい。
【００４８】
このように第３の実施形態の携帯電話端末によれば、放送受信中や着信時等にカメラを起動し、眼球の状態を認識し、凝視状態かどうかを判断することでコンテンツの視聴状況を把握し、そのコンテンツへのユーザの入れ込み度を判断している。そして、ユーザが見たい番組を視聴中には番組再生を優先させ、留守番電話モードに移行して着信を録音するなど、視聴状況に応じた着信処理形態でコンテンツの再生及び着信処理を実行する。これにより、コンテンツを視聴している時に着信した場合であっても、コンテンツの視聴状況に応じて着信に対する処理を動的に変化させることができる為、コンテンツの視聴を優先したい又は通話を優先したい等といった、視聴状況に応じて変化するユーザの意図を適宜反映させることができ、利便性を向上させることができる。また、手動によるわずらわしい事前設定を不要とし、また事前設定の解除忘れなどの操作ミスをなくすことができる。
【００４９】
なお、上記の実施形態では、所定の放送番組（コンテンツ）に対するアクセス回数等から、コンテンツの視聴状況を把握し、視聴状況に応じた着信処理形態でコンテンツの再生及び着信処理を実行しているが、コンテンツの視聴状況を事前（着信前）にグラフィカルに表現する手段を設けることで、ユーザの操作の幅を広げることが可能である。例えば、入れ込み度が高い放送番組を視聴している場合は、事前（着信前）に、所定のアイコンあるいは「今着信したら留守番電話モードになります。」等の表示をすることにより、ユーザの操作の幅を広げることが可能である。
【００５０】
また、再生するコンテンツとしてテレビ放送又はラジオ放送の場合を例示したが、コンテンツは、ゲーム、ビデオ、音楽、等であってもよい。また、コンテンツの再生とは、コンテンツがゲームの場合には、ゲームのアプリケーションソフトウェアを実行していることを指し、コンテンツがビデオの場合には、ビデオの再生をする事を指し、コンテンツが音楽であるときには、音楽を再生することを指す。
【００５１】
また、上記実施形態では、撮影手段を用いてユーザの凝視を検知することにより視聴状況を把握したが、ボタン、キー、ダイヤル、リモコン等の操作でユーザの操作を検知することにより視聴状況を把握してもよい。また、タッチセンサー、加速度センサー、振動センサー等のセンサーでユーザが端末を保持していることを検知することにより視聴状況を把握してもよい。
【００５２】
なお、上記説明では、コンテンツの再生の継続及び留守番電話モードへの移行により着信処理を実行する例を示したが、着信に対して、ビジー信号で通知又は応答メッセージを再生して応答できないことを発信者に通知することにより着信処理を実行してもよい。
【００５３】
また、上記説明では、コンテンツ再生中に表示や音により着信を報知する例を示したが、可視光の発生や振動の発生により着信を報知してもよい。同様に、コンテンツの再生終了後やコンテンツの再生を停止させた後、可視光の発生や振動の発生により着信を報知してもよい。
【００５４】
また、上記説明では、携帯電話端末の例を示したが、据え置き電話、メール受信端末、インスタントメッセージ送受信端末、オンラインゲーム機や、通信機能や通話機能を有するＰＤＡ、ＴＶ、ヘッドホンステレオ、ロボット、ウエアラブル端末等でも、同様に本発明を実施できる。
【産業上の利用可能性】
【００５５】
本発明は、視聴状況に応じた着信処理形態で前記コンテンツの再生及び前記着信処理を実行させる制御手段を備えることにより、コンテンツを視聴している時に着信した場合であっても、コンテンツの視聴状況に応じて着信に対する処理を動的に変化させることができる為、コンテンツの視聴を優先したい又は通話を優先したい等といった、視聴状況に応じて変化するユーザの意図を適宜反映させることができ、利便性を向上させることができる効果を有し、コンテンツの再生を行う機能を有する通信端末等に有用である。
【図面の簡単な説明】
【００５６】
【図１】本発明の第１の実施形態を説明するための携帯電話端末の概略構成を示す図
【図２】本発明の第１の実施形態にかかる携帯電話端末の着信時の処理を説明するためのフローチャート
【図３】本発明の第２の実施形態を説明するための携帯電話端末の概略構成を示す図
【図４】本発明の第２の実施形態にかかる携帯電話端末の着信時の処理を説明するためのフローチャート
【図５】本発明の第３の実施形態を説明するための携帯電話端末の概略構成を示す図
【図６】本発明の第３の実施形態にかかる携帯電話端末の着信時の処理を説明するためのフローチャート
【符号の説明】
【００５７】
１００  通話処理部
１０１  無線制御部
１０２  復号化手段
１０３  着信音源
２００  放送処理部
２０１  放送受信部
２０２  復号化手段
３０１  留守番電話手段
４０１  コントローラ
４０２  液晶表示装置（ＬＣＤ）
４０３  スピーカ（ＳＰ）
５０１  着信可否判断手段
６０１  履歴回数判断手段
６０２  履歴回数格納メモリ
６０３  視聴時間判断手段
６０４  視聴時間格納メモリ
６０５  凝視時間判断手段
６０６  カメラ
【図１】
2006074101.tif 000003
【図２】
2006074101.tif 000004
【図３】
2006074101.tif 000005
【図４】
2006074101.tif 000006
【図５】
2006074101.tif 000007
【図６】
2006074101.tif 000008